【手続補正書】
【提出日】令和2年5月28日(2020.5.28)
【手続補正１】
【補正対象書類名】特許請求の範囲
【補正対象項目名】全文
【補正方法】変更
【補正の内容】
【特許請求の範囲】
【請求項１】
情報処理装置であって、
前記情報処理装置と通信を行うサーバと前記情報処理装置との間の通信コネクションを確立するための処理を実行する通信制御手段と、
前記情報処理装置が、前記サーバと一体として構成される装置であるか判定する判定手段と、
前記判定手段の判定結果に応じて、前記サーバと前記情報処理装置との間の通信コネクションの維持に関して異なる制御を行う制御手段を有することを特徴とする情報処理装置。
【請求項２】
前記制御手段は、前記情報処理装置が前記サーバと一体として構成される装置であると前記判定手段が判定したことに応じて、前記前記通信制御手段が確立した前記通信コネクションを前記サーバに解放させるための情報を前記サーバのクライアントとしての前記情報処理装置から前記サーバに通知させる制御を行うことを特徴とする請求項１に記載の情報処理装置。
【請求項３】
前記制御手段は、前記サーバと前記情報処理装置とが異なる装置であると前記判定手段が判定したことに応じて、前記通信制御手段が確立した前記通信コネクションを前記サーバに維持させるための情報を前記情報処理装置から前記サーバに通知させる制御を行うことを特徴とする請求項１又は請求項２に記載の情報処理装置。
【請求項４】
情報処理装置であって、
サーバとの通信コネクションを確立するための処理を実行する通信制御手段と、
前記情報処理装置が前記サーバと一体として構成される装置であるか判定する判定手段と、
前記通信制御手段が確立した前記通信コネクションを前記サーバに維持させるための情報、又は、前記通信制御手段が確立した前記通信コネクションを前記サーバに解放させるための情報を、前記判定手段の判定結果に応じて前記サーバに通知する通知手段を有することを特徴とする情報処理装置。
【請求項５】
前記通知手段は、前記サーバは前記情報処理装置と異なる装置であると前記判定手段が判定したことに応じて、前記通信制御手段が確立した前記通信コネクションを前記サーバに維持させるための情報を前記サーバに通知することを特徴とする請求項４に記載の情報処理装置。
【請求項６】
前記通知手段は、前記情報処理装置が前記サーバと一体として構成される装置であると前記判定手段が判定したことに応じて、前記前記通信制御手段が確立した前記通信コネクションを前記サーバに解放させるための情報を前記サーバに通知することを特徴とする請求項４又は請求項５に記載の情報処理装置。
【請求項７】
前記情報処理装置の設定情報を管理する管理手段を有し、
前記通信制御手段は、前記管理手段が管理する前記設定情報の更新内容を示す第１の更新情報をサーバに通知する通知処理、又は、前記サーバが管理する設定情報の更新内容を示す第２の更新情報を前記サーバから取得する取得処理の少なくとも何れかの処理を実行するために、前記サーバとのコネクションを確立することを特徴とする請求項４から請求項６の何れか１項に記載の情報処理装置。
【請求項８】
前記通信制御手段は、前記第１の更新情報をサーバに通知する前記通知処理、及び、前記第２の更新情報を前記サーバから取得する前記取得処理を実行し、
前記通知手段は、前記通信制御手段が実行する処理が前記通知処理であり、かつ、前記情報処理装置が前記サーバと一体として構成される装置であると前記判定手段が判定した場合には、前記通信制御手段が確立した前記通信コネクションを前記サーバに維持させるための情報を前記サーバに通知し、前記通信制御手段が実行する処理が前記取得処理であり、かつ、前記情報処理装置が前記サーバと一体として構成される装置であると前記判定手段が判定した場合には、前記通信制御手段が確立した前記通信コネクションを前記サーバに解放させるための情報を前記サーバに通知することを特徴とする請求項７に記載の情報処理装置。
【請求項９】
前記通知手段は、前記前記通信コネクションを前記サーバに維持させるための情報を、前記２の更新情報の取得要求、または、前記第１の更新情報と共に前記サーバに通知することを特徴とする請求項７に記載の情報処理装置。
【請求項１０】
前記通知手段は、前記前記通信コネクションを前記サーバに解放させるための情報を、前記２の更新情報の取得要求、または、前記第１の更新情報と共に前記サーバに通知することを特徴とする請求項７に記載の情報処理装置。
【請求項１１】
情報処理装置の制御方法であって、
前記情報処理装置と通信を行うサーバと前記情報処理装置との間の通信コネクションを確立するための処理を実行する通信制御ステップと、
前記情報処理装置が、前記サーバと一体として構成される装置であるか判定する判定ステップと、
前記判定手段の判定結果に応じて、前記サーバと前記情報処理装置との間の通信コネクションの維持に関して異なる制御を行う制御ステップ
を有することを特徴とする情報処理装置の制御方法。
【請求項１２】
情報処理装置の制御方法であって、
サーバとの通信コネクションを確立するための処理を実行する通信制御ステップと、
前記情報処理装置が前記サーバと一体として構成される装置であるか判定する判定ステップと、
前記通信制御ステップにおいて確立した前記通信コネクションを前記サーバに維持させるための情報、又は、前記通信制御ステップにおいて確立した前記通信コネクションを前記サーバに解放させるための情報を、前記判定ステップにおける判定結果に応じて前記サーバに通知する通知ステップと
を有することを特徴とする情報処理装置の制御方法。
【請求項１３】
コンピュータに、
前記コンピュータと通信を行うサーバと前記コンピュータとの間の通信コネクションを確立するための処理を実行する通信制御手順と、
前記コンピュータが、前記サーバと一体として構成される装置であるか判定する判定手順と、
前記判定手順の判定結果に応じて、前記サーバと前記情報処理装置との間の通信コネクションの維持に関して異なる制御を行う制御手順
を実行させるためのプログラム。
【請求項１４】
コンピュータに、
サーバとの通信コネクションを確立するための処理を実行する通信制御手順と、
前記コンピュータが前記サーバと一体として構成される装置であるか判定する判定手順と、
前記通信制御手順において確立した前記通信コネクションを前記サーバに維持させるための情報、又は、前記通信制御手順において確立した前記通信コネクションを前記サーバに解放させるための情報を、前記判定手順における判定結果に応じて前記サーバに通知する通知手順と
を実行させるためのプログラム。
【手続補正２】
【補正対象書類名】明細書
【補正対象項目名】００１２
【補正方法】変更
【補正の内容】
【００１２】
本発明は、情報処理装置であって、前記情報処理装置と通信を行うサーバと前記情報処理装置との間の通信コネクションを確立するための処理を実行する通信制御手段と、前記情報処理装置が、前記サーバと一体として構成される装置であるか判定する判定手段と、前記判定手段の判定結果に応じて、前記サーバと前記情報処理装置との間の通信コネクションの維持に関して異なる制御を行う制御手段を有することを特徴とする。
【手続補正３】
【補正対象書類名】明細書
【補正対象項目名】００１３
【補正方法】変更
【補正の内容】
【００１３】
あるいは本発明は、情報処理装置であって、サーバとの通信コネクションを確立するための処理を実行する通信制御手段と、前記情報処理装置が前記サーバと一体として構成される装置であるか判定する判定手段と、前記通信制御手段が確立した前記通信コネクションを前記サーバに維持させるための情報、又は、前記通信制御手段が確立した前記通信コネクションを前記サーバに解放させるための情報を、前記判定手段の判定結果に応じて前記サーバに通知する通知手段とを有することを特徴とする。